(57)【要約】【課題】ＩＣカードの認証とカード発行部でのＩＣカードへのセキュリティ情報の書き込みと消耗品の収納カセットのＩＣチップの情報の読み取りを１つのＩＣリーダライタで行うことを可能とするカード印刷装置を提供する。【解決手段】ＩＣカードを積載するカードカセットと、ＩＣカードを保持するセキュリティ認証用カードホルダと、ＩＣカードにセキュリティ情報を書き込むエンコード部と、印刷消耗品の製造履歴情報を記憶したＩＣチップが貼り付けられた印刷消耗品を収納する印刷消耗品カセット収納部と、ＩＣカードに図形、文字等を印刷する印刷部と、カードスタッカと、を備え、更にカードのセキュリティ認証情報の読み取りと、セキュリティ情報の書き込みと、印刷用消耗品カセットのＩＣチップ情報の読み取りと、を行うＩＣリーダライタと、を備えたことを特徴とするカード印刷装置。【選択図】図５
2011079217.tif 000002
【特許請求の範囲】
【請求項１】
ＩＣカードにセキュリティ情報をエンコードし、顔画像や氏名等の図形、文字を印刷するカード印刷機であって、ＩＣカードを積載するカードカセットと、ＩＣカードを保持するセキュリティ認証用カードホルダと、発行カードにセキュリティ情報を書き込むエンコード部と、印刷消耗品の製造履歴情報を記憶したＩＣチップが貼り付けられた印刷消耗品を収納する印刷消耗品カセット収納部と、ＩＣカードに図形、文字等を印刷する印刷部と、カードスタッカと、を備え、更にカードのセキュリティ認証情報の読み取りと、セキュリティ情報の書き込みと、印刷用消耗品カセットのＩＣチップ情報の読み取りと、を行うＩＣリーダライタと、を備えたことを特徴とするカード印刷装置。
【請求項２】
ＩＣリーダライタは、回転可能な機構を有する１つのＩＣリーダライタであることを特徴とする請求項１記載のカード印刷装置。
【請求項３】
ＩＣリーダライタが移動可能な機構を有し、ＩＣリーダライタとＩＣカード及び印刷消耗品カセットとの距離及び位置が可変であることを特徴とする請求項１または２に記載のカード印刷装置。
【発明の詳細な説明】
【技術分野】
【０００１】
本発明は、ＩＤカードを発行するカード印刷装置に関するもので、詳しくはＩＣカードとの通信、及び消耗品カセットとの通信を同一のＩＣリーダライタでしかも安定した通信を行い、更にカードに顔画像や氏名などの図形や文字を印刷するカード印刷装置に関するものである。
【背景技術】
【０００２】
近年、官公庁、銀行、会社、医療機関、及び学校などのサービス産業分野では、身分証明書、パスポート、外国人登録証、図書館利用カード、キャッシュカード、クレジットカード、自動車運転免許証、従業員証、社員証、会員証、医療カード及び学生証などのＩＤカードが普及している。この種のＩＤカードには、本人認識用の顔画像、及び所有者に関する文字や記号などの文字情報が印刷されており、特に近年、ＩＤカードにはセキュリティの信頼性の高さからＩＣカードを用いることが多くなっている。
【０００３】
図１は従来から行われているＩＣカードを発行する場合の工程の一例を示したものである。ＩＣカード１は、カードを発行する人が適正な人であることを認証するカード認証部２を経過した後、カード発行部３で各種セキュリティ情報が記録され、更に印刷部４を備えた印刷装置で氏名や顔画像等の文字や図形の印刷が行われる。カード認証部２にカードがない場合には印刷部４は動作しないように制御されている。
【０００４】
そして、以下に説明するようにカード認証部２、カード発行部３、更には印刷部４では、それぞれ別個にＩＣリーダライタが使用されている。
【０００５】
即ち、カード認証部２、カード発行部３、更には印刷部４ではＩＣカードとの通信をＩＣリーダライタを介して行うが、ＩＣリーダライタは印刷装置に内蔵されているか、もしくは外部に取付けられており、ＩＣリーダライタにＩＣカードが搬送され、ＩＣカードと通信が行われる。
【０００６】
図２は、従来のＩＣリーダライタと発行カードの位置関係を示す。発行カード４１はカードガイド４２に挟まれた状態で保持され、固定治具４３に固定されたＩＣリーダライタ４４で発行カード４１の情報を読み込んだり、発行カード４１に情報を書き込んだりしている。
【０００７】
この場合、ＩＣカードの種類によっては、ＩＣカード４１とＩＣリーダライタ４４との位置関係、通信距離によって通信が不安定になることがあった。通信を安定化させるため、板状弱磁石を用いる技術があるが、カードの種類が変わった場合などは人手によって位置関係、通信距離を調整する必要があり、また、具体的な調整方法までは提案されていない。
【０００８】
また、図１における従来から行われているＩＣカードを発行する場合の工程において、カード認証部２におけるＩＣカードの認証とカード発行部３でのＩＣカードへのセキュリティ情報の書き込みは、各々のＩＣリーダライタを用いて行っている。
【０００９】
印刷部４に用いられる印刷方式はインクジェット印字機構や熱転写印字機構が代表例として挙げられるが、図３、及び図４は熱転写印字機構を示した図である。熱転写印字機構による印字方式は、直接転写方式と中間転写方式がある。図３は直接転写方式の熱転写印字機構の概略を示す図で、熱転写リボン１１はリボン巻き出しロール１２から供給され、
ロール１３を介した後、電圧を加えることによって発熱する発熱体が複数個配列されたサーマルヘッド１４によって熱転写リボン１１のリボン基材面から押圧される。印刷用紙１５は印刷用紙巻き出しロール１６から供給され、プラテンロール１７上で押圧された熱転写リボン１１の熱転写層に接し、印刷用紙１５上に転写層が転写され画像が形成される。転写された後の熱転写リボン１９はロール１８を介した後、リボン巻取りロール２０に巻き取られる。
【００１０】
図４は中間転写方式の熱転写印字機構の概略を示す図で、熱転写リボン２１はリボン巻き出しロール２２から供給され、ロール２３を介した後、サーマルヘッド２４によって熱転写リボン２１のリボン基材面から押圧される。中間転写フィルム３１は中間転写フィルム巻き出しロール３２から供給され、ロール３３を介した後、プラテンロール２７上で押圧された熱転写リボン２１の熱転写層に接し転写層が転写される。印刷用紙２５は印刷用紙巻き出しロール２６から供給され、中間転写フィルムに転写された転写層が二次転写部３４のロール３５及びロール３６によって印刷用紙２５に転写され、ロール３７を介して移送された印刷用紙２５に画像が形成される。転写された後の中間転写フィルム３９はロール３８を介した後、中間転写フィルム巻取りロール４０に巻き取られる。また、プラテンロール２７上で転写された後の熱転写リボン２９は、ロール２８を介した後、熱転写リボン巻取りロール３０に巻き取られる。
【００１１】
また、印刷部４に使用される消耗品として例えば図３に示す直接転写方式の場合の熱転写リボン１１や図４に示す中間転写方式の場合の熱転写リボン２１は、熱転写リボンに使われているインクの発色材料やその添加量、その他の添加物の組成や粘度等のバラツキによって印刷された文字、図形等の刷色にバラツキが生じてしまう。
【００１２】
近年、上記消耗品の収納カセットには消耗品の製造履歴（使用した材料や製造条件、品質情報）が記憶されたＩＣチップを貼ることが多く採用されている。そのＩＣチップの情報を読み取り印刷条件を設定して印刷の刷色にバラツキのない印刷を行う方法が提案されているが、上記ＩＣチップの情報の読み取りとカード発行部でのＩＣカードへのセキュリティ情報の書き込みは、各々のＩＣリーダライタを用いて行っている。
【先行技術文献】
【特許文献】
【００１３】
【特許文献１】特開２００４−３２２４９６号公報
【特許文献２】特公平８−２６３７号公報
【発明の概要】
【発明が解決しようとする課題】
【００１４】
本発明は、ＩＣカードの認証とカード発行部でのＩＣカードへのセキュリティ情報の書き込みと消耗品収納カセットのＩＣチップの情報の読み取りを１つのＩＣリーダライタで行うことを可能とするカード印刷装置を提供することを課題とする。
【課題を解決するための手段】
【００１５】
本発明は係る問題点に鑑みてなされたものであり、本発明の請求項１に係る発明は、ＩＣカードにセキュリティ情報をエンコードし、顔画像や氏名等の図形、文字を印刷するカード印刷機であって、ＩＣカードを積載するカードカセットと、ＩＣカードを保持するセキュリティ認証用カードホルダと、ＩＣカードにセキュリティ情報を書き込むエンコード部と、印刷消耗品の製造履歴情報を記憶したＩＣチップが貼り付けられた印刷消耗品を収納する印刷消耗品カセット収納部と、ＩＣカードに図形、文字等を印刷する印刷部と、カードスタッカと、を備え、更にカードのセキュリティ認証情報の読み取りと、セキュリティ情報の書き込みと、印刷用消耗品カセットのＩＣチップ情報の読み取りと、を行うＩＣリーダライタと、を備えたことを特徴とするカード印刷装置である。
【００１６】
本発明の請求項２に係る発明は、ＩＣリーダライタは、回転可能な機構を有する１つのＩＣリーダライタであることを特徴とする請求項１記載のカード印刷装置である。
【００１７】
本発明の請求項３に係る発明は、ＩＣリーダライタが移動可能な機構を有し、ＩＣリーダライタとＩＣカード及び印刷消耗品カセットとの距離及び位置が可変であることを特徴とする請求項１または２に記載のカード印刷装置である。
【発明の効果】
【００１８】
ＩＣリーダライタが回転可能な機構を有することによって、カード認証情報の読み取と、セキュリティ情報の書き込みと、印刷用消耗品カセット情報の読み取りを１つのＩＣリーダライタで行うことが出来、従来３つのＩＣリーダライタを１つに減らすことが可能となる。更にＩＣカードの種類が変更になった場合には、ＩＣリーダライタが移動可能な機構を有することによって、ＩＣカードとＩＣリーダライタの距離及び位置を変えることが出来、その結果、安定してＩＣカードとの通信を行うことが可能となる。同様に、印刷消耗品カセットとの距離、位置を変えることによって印刷用消耗品カセットが変更された場合においても、安定した通信を行うことが出来る。
【図面の簡単な説明】
【００１９】
【図１】従来から行われているＩＣカードを発行する場合の工程の一例を示す図。
【図２】従来のＩＣリーダライタと発行カードの位置関係を示す図。
【図３】ＩＣカード印刷装置に用いられる直接転写方式の熱転写印字機構の概略を示す図。
【図４】ＩＣカード印刷装置に用いられる中間転写方式の熱転写印字機構の概略を示す図。
【図５】本発明に係るカード印刷装置を示す図で、直接転写方式の熱転写機構を用いた印刷装置の概略構成一例を示す図。
【図６】本発明に係るＩＣリーダライタとＩＣカードの位置関係を示す図。
【図７】本発明に係るＩＣカードとＩＣリーダライタの距離とＩＣリーダライタの位置を変えることを説明するための図。
【図８】本発明に係るカード印刷装置を示す図で、間接転写方式の熱転写機構を用いた印刷装置の概略構成一例を示す図。
【発明を実施するための形態】
【００２０】
図５は本発明に係るカード印刷装置を示す図で、直接転写方式の熱転写機構を用いた印刷装置の概略構成の一例である。カードカセット５０に積載されたＩＣカード５１はセキュリティ認証用カードホルダ５２に移された後、カードガイド５８によって保持され、ＩＣリーダライタ５３が位置その１にあって、カードの認証が行われる。その後、エンコード部５４に移されＩＣリーダライタ５３が位置その２にあって、セキュリティ情報がエンコードされる。次に印刷部５５によって文字、図形等の情報がサーマルヘッドによって印刷された後に、カードスタッカ５６に収納される。印刷部５５で使用される印刷消耗品は印刷用消耗品カセット収納部５７に収納されている。また印刷用消耗品カセットには印刷消耗品、例えば熱転写リボンが収納されており、該カセットには熱転写リボンが製造された製造履歴情報が記憶されたＩＣチップが貼り付けられている。ＩＣチップに記憶されている製造履歴情報は、位置３にあるＩＣリーダライタによって読み取られる。
【００２１】
図６は本発明に係るＩＣリーダライタ５３とＩＣカード５１の位置関係を示す。ＩＣリーダライタは回転可能な機構６０を有している。回転可能な機構６０によって位置その１、位置その２、位置その３にＩＣリーダライタを回転することが出来る。その結果、位置その１で認証用カードの認証情報の読み取りを、位置その２で発行するＩＣカードへのセキュリティ情報のエンコードと、更には位置その３で消耗品カセットに貼り付けられているＩＣチップの製造履歴の情報の読み取りを１つのＩＣリーダライタで行うことが出来る。更にＩＣリーダライタは移動可能な機構（図示せず）を有しているため、図７に示すように、ＩＣカードの種類が変更した場合でも、ＩＣカードとＩＣリーダライタの距離とＩＣリーダライタの位置を矢印６１、６２の方向に変えることによって、ＩＣカードとの通信を安定して行うことが可能となる。
【００２２】
ＩＣリーダライタとＩＣカードとの距離とＩＣリーダライタの位置、及びＩＣリーダライタと消耗品カセットに貼り付けられているＩＣチップとの距離とＩＣリーダライタの位置は、予めＩＣカードの種類毎、消耗品カセットの種類毎に設定されており、ＩＣカードの種類、消耗品カセットの種類を選択することによって、設定された距離、位置に制御される。
【００２３】
尚、ＩＣリーダライタに備えられている回転可能な機構及び移動可能な機構は、既知の機械機構を採用することが出来る。
【００２４】
更に図８は、本発明に係るカード印刷装置を示す図で、間接転写方式の熱転写印字機構を用いた印刷装置の概略構成一例を示す図であって、図５に示す本発明に係る直接転写方式の熱転写印字機構を用いたカード印刷装置に比べて、中間転写フィルム６３に一度印刷画像がサーマルヘッドによって形成され、該印刷画像が更に二次転写部でＩＣカードに転写される。
【００２５】
熱転写機構は本発明の実施のための実施形態の例示であって、インクジェット方式による印刷方式を採用しても良い。
【００２６】
このように本発明によれば、発行するＩＣカードへのセキュリティ情報のエンコードと認証用カードの認証情報の読み込みと更には消耗品カセットに貼り付けられているＩＣチップの製造履歴の情報の読み込みを１つのＩＣリーダライタで行うことができるため、従来用いられていた３つのリーダライタを１つに減らすことが可能になった。
【００２７】
また、ＩＣリーダライタとＩＣカードとの距離とＩＣリーダライタの位置、及びＩＣリーダライタと消耗品カセットに貼り付けられているＩＣチップとの距離とＩＣリーダライタの位置は、ＩＣリーダライタに備えられた移動可能な機構によって設定されるため、ＩＣリーダライタとＩＣカード、消耗品カセットに貼り付けられているＩＣチップとの通信を安定して行うことが可能となる。
【符号の説明】
【００２８】
１・・・ＩＣカード
２・・・カード認証部
３・・・カード発行部
４・・・印刷部
１１・・・熱転写リボン
１２・・・リボン巻き出しロール
１３・・・ロール
１４・・・サーマルヘッド
１５・・・印刷用紙
１６・・・印刷用紙巻き出しロール
１７・・・プラテンロール
１８・・・ロール
１９・・・熱転写リボン
２０・・・リボン巻取りロール
２１・・・熱転写リボン
２２・・・リボン巻き出しロール
２３・・・ロール
２４・・・サーマルヘッド
２５・・・印刷用紙
２６・・・印刷用紙巻き出しロール
２７・・・プラテンロール
２８・・・ロール
２９・・・転写された後の熱転写リボン
３０・・・熱転写リボン巻取りロール
３１・・・中間転写フィルム
３２・・・中間転写フィルム巻き出しロール
３３・・・ロール
３４・・・二次転写部
３５・・・ロール
３６・・・ロール
３７・・・ロール
３８・・・ロール
３９・・・転写された後の中間転写フィルム
４０・・・中間転写フィルム巻取りロール
４１・・・発行カード
４２・・・カードガイド
４３・・・固定治具
４４・・・ＩＣリーダライタ
５０・・・カードカセット
５１・・・ＩＣカード
５２・・・セキュリティ認証用カードホルダ
５３・・・ＩＣリーダライタ
５４・・・エンコード部
５５・・・印刷部
５６・・・カードスタッカ
５７・・・印刷用消耗品カセット収納部
５８・・・カードガイド
５９・・・ＩＣリーダライタ固定治具
６０・・・回転可能な機構
６１、６２・・・ＩＣリーダライタの位置を変える方向を示す矢印
６３・・・中間転写フィルム
【図１】
2011079217.tif 000003
【図２】
2011079217.tif 000004
【図３】
2011079217.tif 000005
【図４】
2011079217.tif 000006
【図５】
2011079217.tif 000007
【図６】
2011079217.tif 000008
【図７】
2011079217.tif 000009
【図８】
2011079217.tif 000010